(57)【要約】  セルベースの高検出可能パイロット（ＨＤＰ）多重化のための装置および方法は、ＨＤＰ機会が存在するかどうかを決定することと、ＨＤＰ信号の送信のための、ＨＤＰ機会内のサブスロットを選択することと、ＨＤＰ信号の送信のための、セル内の１つより多いセクターをアクティブにすることとを含む。【選択図】    図６
2011524690.tif 000002
【特許請求の範囲】
【請求項１】
セルベースの高検出可能パイロット（ＨＤＰ）多重化のための方法において、
ＨＤＰ機会が存在するかどうかを決定することと、
ＨＤＰ信号の送信のための、前記ＨＤＰ機会内のサブスロットを選択することと、
前記ＨＤＰ信号の送信のための、セル内の１つより多いセクターをアクティブにすることとを含む方法。
【請求項２】
前記１つより多いセクターからの第１のセクターのオフセットにセクター識別子をセットすることと、
前記１つより多いセクターにおいて、前記第１のセクターの前記セクター識別子を持つ前記ＨＤＰ信号を送信することとをさらに含む請求項１記載の方法。
【請求項３】
前記１つより多いセクターにおいて、前記セルに対するセル識別子に基づいて、共通シーケンスを送信することをさらに含む請求項２記載の方法。
【請求項４】
前記ＨＤＰ機会は、１組の時間周波数リソースである請求項１記載の方法。
【請求項５】
前記ＨＤＰ機会は、データ送信に対して指定されている２つの周波数ビンの間に位置付けられている請求項１記載の方法。
【請求項６】
前記サブスロットは、決定論的な関数により選択される請求項１記載の方法。
【請求項７】
前記決定論的な関数は、時間の関数である請求項６記載の方法。
【請求項８】
前記サブスロットは、ハッシュ関数により選択される請求項１記載の方法。
【請求項９】
前記セルは、１Ｘシステム、１ｘＥＶ−ＤＯシステム、ＯＦＤＭシステム、ＬＴＥ（ロングタームエボリューション）システム、または、ＵＭＢ（ウルトラモバイルブロードバンド）システムのうちの１つである、ワイヤレス通信システムの一部である請求項１記載の方法。
【請求項１０】
前記ＨＤＰ信号は、時分割多重化（ＴＤＭ）、周波数分割多重化（ＦＤＭ）、コード分割多重化（ＣＤＭ）、または、これらの組み合わせのうちの１つを使用して送信される請求項９記載の方法。
【請求項１１】
前記セットステップおよび送信ステップは、第２のセクター識別子を使用して、前記１つより多いセクターからの第２のセクターに対して実行される請求項２記載の方法。
【請求項１２】
前記セットステップおよび送信ステップは、少なくとも３回実行され、それぞれの回は、前記１つより多いセクターからの異なるセクターに対するものであり、それぞれの回は、異なるセクター識別子を使用する請求項２記載の方法。
【請求項１３】
セルベースの高検出可能パイロット（ＨＤＰ）多重化のための装置において、
前記装置は、
ＨＤＰ機会が存在するかどうかを決定するためと、
ＨＤＰ信号の送信のための、前記ＨＤＰ機会内のサブスロットを選択するためと、
前記ＨＤＰ信号の送信のための、セル内の１つより多いセクターをアクティブにするためのプロセッサを具備する装置。
【請求項１４】
前記プロセッサは、前記１つより多いセクターからの第１のセクターのオフセットに第１のセクター識別子をセットし、
前記１つより多いセクターにおいて、前記第１のセクターの前記第１のセクター識別子を持つ前記ＨＤＰ信号を送信するための送信機をさらに具備する請求項１３記載の装置。
【請求項１５】
前記送信機は、前記１つより多いセクターにおいて、前記セルに対するセル識別子に基づいて、共通シーケンスをさらに送信する請求項１４記載の装置。
【請求項１６】
前記ＨＤＰ機会は、１組の時間周波数リソースである請求項１３記載の装置。
【請求項１７】
前記ＨＤＰ機会は、データ送信に対して指定されている２つの周波数ビンの間に位置する周波数ビンである請求項１３記載の装置。
【請求項１８】
前記プロセッサは、前記サブスロットを選択するために、決定論的な関数を使用する請求項１３記載の装置。
【請求項１９】
前記決定論的な関数は、時間の関数である請求項１８記載の装置。
【請求項２０】
前記プロセッサは、前記サブスロットを選択するために、ハッシュ関数を使用する請求項１３記載の装置。
【請求項２１】
前記装置は、１Ｘシステム、１ｘＥＶ−ＤＯシステム、ＯＦＤＭシステム、ＬＴＥ（ロングタームエボリューション）システム、または、ＵＭＢ（ウルトラモバイルブロードバンド）システムのうちの１つである、ワイヤレス通信システムの一部である請求項１３記載の装置。
【請求項２２】
前記ＨＤＰ信号は、時分割多重化（ＴＤＭ）、周波数分割多重化（ＦＤＭ）、コード分割多重化（ＣＤＭ）、または、これらの組み合わせのうちの１つを使用して送信される請求項２１記載の装置。
【請求項２３】
前記プロセッサは、前記１つより多いセクターからの第２のセクターのオフセットに第２のセクター識別子をセットし、
前記送信機は、前記１つより多いセクターにおいて、２回目に、前記第２のセクターの前記第２のセクター識別子を持つ前記ＨＤＰ信号を送信し、
前記第２のセクター識別子は、前記第１のセクター識別子とは異なり、前記第２のセクターは、前記第１のセクターとは異なる請求項１４記載の装置。
【請求項２４】
前記プロセッサは、前記１つより多いセクターからの第３のセクターのオフセットに第３のセクター識別子をセットし、
前記送信機は、前記１つより多いセクターにおいて、３回目に、前記第３のセクターの前記第３のセクター識別子を持つ前記ＨＤＰ信号を送信し、
前記第３のセクター識別子は、前記第１および第２のセクター識別子とは異なり、前記第３のセクターは、前記第１および第２のセクターとは異なる請求項２３記載の装置。
【請求項２５】
前記装置は、ＦＥＭＴＯセルである請求項１３記載の装置。
【請求項２６】
セルベースの高検出可能パイロット（ＨＤＰ）多重化のための装置において、
ＨＤＰ機会が存在するかどうかを決定する手段と、
ＨＤＰ信号の送信のための、前記ＨＤＰ機会内のサブスロットを選択する手段と、
前記ＨＤＰ信号の送信のための、セル内の１つより多いセクターをアクティブにする手段とを具備する装置。
【請求項２７】
前記１つより多いセクターからの第１のセクターのオフセットに第１のセクター識別子をセットする手段と、
前記１つより多いセクターにおいて、前記第１のセクターの前記第１のセクター識別子を持つ前記ＨＤＰ信号を送信する手段とをさらに具備する請求項２６記載の装置。
【請求項２８】
前記１つより多いセクターにおいて、前記セルに対するセル識別子に基づいて、共通シーケンスを送信する手段をさらに具備する請求項２７記載の装置。
【請求項２９】
前記ＨＤＰ機会は、１組の時間周波数リソースである請求項２６記載の装置。
【請求項３０】
前記ＨＤＰ機会は、データ送信に対して指定されている２つの周波数ビンの間に位置する周波数ビンである請求項２６記載の装置。
【請求項３１】
前記サブスロットを選択する手段は、決定論的な関数を使用する請求項２６記載の装置。
【請求項３２】
前記決定論的な関数は、時間の関数である請求項３１記載の装置。
【請求項３３】
前記サブスロットを選択する手段は、ハッシュ関数を使用する請求項２６記載の装置。
【請求項３４】
前記装置は、１Ｘシステム、１ｘＥＶ−ＤＯシステム、ＯＦＤＭシステム、ＬＴＥ（ロングタームエボリューション）システム、または、ＵＭＢ（ウルトラモバイルブロードバンド）システムのうちの１つである、ワイヤレス通信システムの一部である請求項２６記載の装置。
【請求項３５】
前記送信する手段は、前記ＨＤＰ信号を送信するために、時分割多重化（ＴＤＭ）、周波数分割多重化（ＦＤＭ）、コード分割多重化（ＣＤＭ）、または、これらの組み合わせのうちの１つを使用する請求項３４記載の装置。
【請求項３６】
前記１つより多いセクターからの第２のセクターのオフセットに第２のセクター識別子をセットする手段と、
前記１つより多いセクターにおいて、２回目に、前記第２のセクターの前記第２のセクター識別子を持つ前記ＨＤＰ信号を送信する手段とをさらに具備し、
前記第２のセクター識別子は、前記第１のセクター識別子とは異なり、前記第２のセクターは、前記第１のセクターとは異なる請求項２７記載の装置。
【請求項３７】
前記１つより多いセクターからの第３のセクターのオフセットに第３のセクター識別子をセットする手段と、
前記１つより多いセクターにおいて、３回目に、前記第３のセクターの前記第３のセクター識別子を持つ前記ＨＤＰ信号を送信する手段とを具備し、
前記第３のセクター識別子は、前記第１および第２のセクター識別子とは異なり、前記第３のセクターは、前記第１および第２のセクターとは異なる請求項３６記載の装置。
【請求項３８】
命令を含むコンピュータプログラムを有するコンピュータ読取可能媒体において、
命令を含むコンピュータプログラムは、少なくとも１つのプロセッサにより実行されるときに、セルベースの高検出可能パイロット（ＨＤＰ）多重化を動作させ、
前記コンピュータプログラムは、
ＨＤＰ機会が存在するかどうかを決定するための命令と、
ＨＤＰ信号の送信のための、前記ＨＤＰ機会内のサブスロットを選択するための命令と、
前記ＨＤＰ信号の送信のための、セル内の１つより多いセクターをアクティブにするための命令とを含むコンピュータ読取可能媒体。
【請求項３９】
前記１つより多いセクターからの第１のセクターのオフセットに第１のセクター識別子をセットするための命令と、
前記１つより多いセクターにおいて、前記第１のセクターの前記第１のセクター識別子を持つ前記ＨＤＰ信号を送信するための命令とをさらに含む請求項３８記載のコンピュータ読取可能媒体。
【請求項４０】
前記１つより多いセクターにおいて、前記セルに対するセル識別子に基づいて、共通シーケンスを送信するための命令をさらに含む請求項３９記載のコンピュータ読取可能媒体。
【請求項４１】
前記１つより多いセクターからの第２のセクターのオフセットに第２のセクター識別子をセットするための命令と、
前記１つより多いセクターにおいて、２回目に、前記第２のセクターの前記第２のセクター識別子を持つ前記ＨＤＰ信号を送信するための命令とをさらに含み、
前記第２のセクター識別子は、前記第１のセクター識別子とは異なり、前記第２のセクターは、前記第１のセクターとは異なる請求項３９記載のコンピュータ読取可能媒体。
【請求項４２】
前記１つより多いセクターからの第３のセクターのオフセットに第３のセクター識別子をセットするための命令と、
前記１つより多いセクターにおいて、３回目に、前記第３のセクターの前記第３のセクター識別子を持つ前記ＨＤＰ信号を送信するための命令とをさらに含み、
前記第３のセクター識別子は、前記第１および第２のセクター識別子とは異なり、前記第３のセクターは、前記第１および第２のセクターとは異なる請求項４１記載のコンピュータ読取可能媒体。
【請求項４３】
多重化されたセルベースの高検出可能パイロット（ＨＤＰ）を受信するための方法において、
１つより多いセクターにおいて送信された、セクター識別子を持つＨＤＰ信号をユーザ機器により受信することと、
前記ユーザ機器が位置するセクターに、前記セクター識別子が属しているか否かを決定し、前記セクターは、前記１つより多いセクターのうちの１つであることと、
前記ユーザ機器が位置するセクターに、前記セクター識別子が属している場合に、前記ＨＤＰ信号を処理して、前記ユーザ機器の位置を決定すること、または、
前記ユーザ機器が位置するセクターに、前記セクター識別子が属していない場合に、前記ＨＤＰ信号を無視することとを含む方法。
【請求項４４】
多重化されたセルベースの高検出可能パイロット（ＨＤＰ）を受信するための装置において、
１つより多いセクターにおいて送信された、セクター識別子を持つＨＤＰ信号をユーザ機器により受信する手段と、
前記ユーザ機器が位置するセクターに、前記セクター識別子が属しているか否かを決定し、前記セクターは、前記１つより多いセクターのうちの１つである手段と、
前記ユーザ機器が位置するセクターに、前記セクター識別子が属している場合に、前記ＨＤＰ信号を処理して、前記ユーザ機器の位置を決定する手段、または、
前記ユーザ機器が位置するセクターに、前記セクター識別子が属していない場合に、前記ＨＤＰ信号を無視する手段とを具備する装置。
【請求項４５】
命令を含むコンピュータプログラムを有するコンピュータ読取可能媒体において、
命令を含むコンピュータプログラムは、少なくとも１つのプロセッサにより実行されるときに、多重化されたセルベースの高検出可能パイロット（ＨＤＰ）を受信するために動作し、
前記コンピュータプログラムは、
１つより多いセクターにおいて送信された、セクター識別子を持つＨＤＰ信号をユーザ機器により受信するための命令と、
前記ユーザ機器が位置するセクターに、前記セクター識別子が属しているか否かを決定し、前記セクターは、前記１つより多いセクターのうちの１つであるための命令と、
前記ユーザ機器が位置するセクターに、前記セクター識別子が属している場合に、前記ＨＤＰ信号を処理して、前記ユーザ機器の位置を決定するための命令、または、
前記ユーザ機器が位置するセクターに、前記セクター識別子が属していない場合に、前記ＨＤＰ信号を無視するための命令とを含むコンピュータ読取可能媒体。
【発明の詳細な説明】
【米国特許法第１１９条の下での優先権主張】
【０００１】
本特許出願は、“高検出可能パイロットのセクター同時送信のための方法および装置”と題し、２００８年６月１１日に出願され、本発明の譲受人に譲渡され、ここでの参照によりここに明確にすべて組み込まれている仮出願第６１／０６０，６８０号に対して優先権を主張する。
【分野】
【０００２】
本開示は、一般的に、ワイヤレス送信に対するパイロット送信のための装置および方法に関する。さらに詳細には、本開示は、セルベースの高検出可能パイロット多重化に関する。
【背景】
【０００３】
ワイヤレス通信システムは、固定の電気通信インフラストラクチャから離れている移動体ユーザに対して、または移動している移動体ユーザに対してさまざまな通信サービスを提供する。これらのワイヤレスシステムは、サービスエリアにおいて、移動体デバイスをさまざまな基地局に相互接続させる無線送信を採用している。基地局は、次に、移動体スイッチングセンターに接続され、移動体スイッチングセンターは、移動体デバイスへの接続および移動体デバイスから他のものへの接続を、公衆電話交換ネットワーク（ＰＳＴＮ）やインターネット等のさまざまな通信ネットワーク上でルーティングする。この方法では、その固定のサイトから離れているユーザまたは移動中のユーザは、音声電話や、ページングや、メッセージングや、ｅメールや、データ転送や、ビデオや、ウェブブラウジング等のような、さまざまな通信サービスを受け取ることができる。
【０００４】
ワイヤレス相互接続に対して無線周波数を使用するために、すべての移動体ユーザは、ワイヤレス通信サービスに対して割り振られている数少ない無線スペクトルを共有するための共通した１組のプロトコルに同意しなければならない。１つの重要なプロトコルは、複数の移動体デバイスをワイヤレス通信ネットワークに接続するために使用されるアクセス方法に関する。さまざまなアクセス方法は、周波数分割多元接続（ＦＤＭＡ）と、時分割多元接続（ＴＤＭＡ）と、コード分割多元接続（ＣＤＭＡ）と、直交周波数分割多重化（ＯＦＤＭ）とを含んでいる。
【概要】
【０００５】
開示しているのは、高検出可能パイロットのセクター同時送信のための装置および方法である。１つの側面にしたがうと、セルベースの高検出可能パイロット（ＨＤＰ）多重化のための方法は、ＨＤＰ機会が存在するかどうかを決定することと、ＨＤＰ信号の送信のための、ＨＤＰ機会内のサブスロットを選択することと、ＨＤＰ信号の送信のための、セル内の１つより多いセクターをアクティブにすることとを含む。
【０００６】
別の側面にしたがうと、セルベースの高検出可能パイロット（ＨＤＰ）多重化のための装置において、この装置は、ＨＤＰ機会が存在するかどうかを決定するためと、ＨＤＰ信号の送信のための、ＨＤＰ機会内のサブスロットを選択するためと、ＨＤＰ信号の送信のための、セル内の１つより多いセクターをアクティブにするためのプロセッサを具備する。
【０００７】
別の側面にしたがうと、セルベースの高検出可能パイロット（ＨＤＰ）多重化のための装置は、ＨＤＰ機会が存在するかどうかを決定する手段と、ＨＤＰ信号の送信のための、ＨＤＰ機会内のサブスロットを選択する手段と、ＨＤＰ信号の送信のための、セル内の１つより多いセクターをアクティブにする手段とを具備する。
【０００８】
別の側面にしたがうと、命令を含むコンピュータプログラムを有するコンピュータ読取可能媒体において、命令を含むコンピュータプログラムは、少なくとも１つのプロセッサにより実行されるときに、セルベースの高検出可能パイロット（ＨＤＰ）多重化を動作させ、コンピュータプログラムは、ＨＤＰ機会が存在するかどうかを決定するための命令と、ＨＤＰ信号の送信のための、ＨＤＰ機会内のサブスロットを選択するための命令と、ＨＤＰ信号の送信のための、セル内の１つより多いセクターをアクティブにするための命令とを含む。
【０００９】
別の側面にしたがうと、多重化されたセルベースの高検出可能パイロット（ＨＤＰ）を受信するための方法は、１つより多いセクターにおいて送信された、セクター識別子を持つＨＤＰ信号をユーザ機器により受信することと、ユーザ機器が位置するセクターに、セクター識別子が属しているか否かを決定し、セクターは、１つより多いセクターのうちの１つであることと、ユーザ機器が位置するセクターに、セクター識別子が属している場合に、ＨＤＰ信号を処理して、ユーザ機器の位置を決定すること、または、ユーザ機器が位置するセクターに、セクター識別子が属していない場合に、ＨＤＰ信号を無視することとを含む。
【００１０】
別の側面にしたがうと、多重化されたセルベースの高検出可能パイロット（ＨＤＰ）を受信するための装置は、１つより多いセクターにおいて送信された、セクター識別子を持つＨＤＰ信号をユーザ機器により受信する手段と、ユーザ機器が位置するセクターに、セクター識別子が属しているか否かを決定し、セクターは、１つより多いセクターのうちの１つである手段と、ユーザ機器が位置するセクターに、セクター識別子が属している場合に、ＨＤＰ信号を処理して、ユーザ機器の位置を決定する手段、または、ユーザ機器が位置するセクターに、セクター識別子が属していない場合に、ＨＤＰ信号を無視する手段とを具備する。
【００１１】
別の側面にしたがうと、命令を含むコンピュータプログラムを有するコンピュータ読取可能媒体において、命令を含むコンピュータプログラムは、少なくとも１つのプロセッサにより実行されるときに、多重化されたセルベースの高検出可能パイロット（ＨＤＰ）を受信するために動作し、コンピュータプログラムは、１つより多いセクターにおいて送信された、セクター識別子を持つＨＤＰ信号をユーザ機器により受信するための命令と、ユーザ機器が位置するセクターに、セクター識別子が属しているか否かを決定し、セクターは、１つより多いセクターのうちの１つであるための命令と、ユーザ機器が位置するセクターに、セクター識別子が属している場合に、ＨＤＰ信号を処理して、ユーザ機器の位置を決定するための命令、または、ユーザ機器が位置するセクターに、セクター識別子が属していない場合に、ＨＤＰ信号を無視するための命令とを含む。
【００１２】
本開示の利点は、パイロット性能の改善を含んでいる。実例としてさまざまな側面を示し説明している以下の詳細な説明から、他の側面が当業者に容易に明らかになるだろうことが理解される。図および詳細な説明は、本質的に例示的なものとしてみなされるべきであり、限定的なものとしてみなされるべきではない。
【図面の簡単な説明】
【００１３】
【図１】図１は、例示的なアクセスノード／ＵＥシステムを示しているブロックダイヤグラムである。
【図２】図２は、複数のユーザをサポートするワイヤレス通信システムの例を示している。
【図３】図３は、１ｘＥＶ−ＤＯのダウンリンクスロット構造の例を示している。
【図４】図４は、１ｘＥＶ−ＤＯの高検出可能パイロット（ＨＤＰ）スロット構造の例を示している。
【図５】図５は、セクターベースのＨＤＰ多重化とセルベースのＨＤＰ多重化との機能的な差異を示している。
【図６】図６は、ロングタームエボリューション（ＬＴＥ）システムにおける、セルベースのＰＲＳ多重化に対する例示的なフローダイヤグラムを示している。
【図７】図７は、セルベースのＨＤＰ多重化に対する例示的なフローダイヤグラムを示している。
【図８】図８は、セルベースの高検出可能パイロット（ＨＤＰ）多重化に対するプロセスを実行するために、メモリと通信するプロセッサを備えているデバイスの例を示している。
【図９】図９は、セルベースの高検出可能パイロット（ＨＤＰ）多重化に適したデバイスの例を示している。
【詳細な説明】
【００１４】
添付の図に関連して下記で述べる詳細な説明は、本開示のさまざまな側面の説明として意図され、本開示を実施できる側面のみを表すことを意図していない。本開示で説明するそれぞれの側面は、単に、本開示の例または例示として提供され、必ずしも、他の側面よりも好ましいものとして、あるいは、他の側面に対して有利なものとして、解釈すべきではない。詳細な説明は、本開示の完全な理解を提供する目的で、特定の詳細を含んでいる。しかしながら、本開示が、これらの特定の詳細なしに実施できることは、当業者にとって明らかだろう。いくつかの例では、本開示の概念を不明瞭にすることを避けるために、よく知られている構造およびデバイスが、ブロックダイヤグラムの形で示されている。頭字語および他の説明的な専門用語は、便宜上および明確にするために使用されており、本開示の範囲を限定することを意図していない。
【００１５】
説明を簡単にする目的で、一連の動作として方法論を示し、説明しているが、いくつかの動作は、１つ以上の側面にしたがって、ここで示し説明しているのとは異なる順序でおよび／または他の動作と同時に起こるかもしれないので、方法論は、動作の順序によって限定されないことを理解し、正しく認識すべきである。例えば、当業者は、代替的に、状態ダイヤグラムのような、一連の相互に関係のある状態またはイベントとして、方法論を表すことができることを理解し、正しく認識するだろう。さらに、示しているすべての動作が、１つ以上の側面にしたがって、方法論を実現する必要はない。
【００１６】
本開示は、ワイヤレス通信システムに関連し、当業者に知られているいくつかの一般的な用語を使用している。しかしながら、このような用語が、ワイヤレス通信標準規格の特定の世代に対して等しく適用可能であることを当業者は理解するだろう。例えば、本開示は、高検出可能パイロット（ＨＤＰ）、セクター、セル、および、ＰＮオフセットのような用語を使用している。１つの側面では、これらの用語と、これらの用語に関連して表現する概念とは、異なる世代のワイヤレス通信システムに対して等しく適用可能である。例えば、第４世代のワイヤレス通信システム（４Ｇ）ロングタームエボリューション（ＬＴＥ）に対して適用可能であり、ここでは、ａ）高検出可能パイロット（ＨＤＰ）の代わりにポジショニング基準信号（ＰＲＳ）を使用し、ｂ）セクターの代わりにセルを使用し、ｃ）セルの代わりにｅＮｏｄｅＢを使用し、ｄ）ＰＮオフセットの代わりに物理セル識別子（ＰＣＩ）を使用する。
【００１７】
図１は、例示的なアクセスノード／ＵＥシステム１００を示しているブロックダイヤグラムである。図１で示している例示的なアクセスノード／ＵＥシステム１００は、ＦＤＭＡ環境や、ＯＦＤＭＡ環境や、ＣＤＭＡ環境や、ＷＣＤＭＡ環境や、ＴＤＭＡ環境や、ＳＤＭＡ環境や、または、他の何らかの適切なワイヤレス環境で実現してもよいことを当業者は理解するだろう。
【００１８】
アクセスノード／ＵＥシステム１００は、（基地局としても知られる）アクセスノード１０１と、ユーザ機器、すなわち、（ワイヤレス通信デバイスまたは移動局としても知られる）ＵＥ２０１とを含んでいる。ダウンリンクレッグでは、（基地局としても知られる）アクセスノード１０１は、送信（ＴＸ）データプロセッサＡ １１０を備え、送信（ＴＸ）データプロセッサＡ １１０は、トラフィックデータを受け入れ、フォーマットし、コード化し、インターリーブし、および、変調（またはシンボルマッピング）して、（データシンボルとしても知られる）変調シンボルを提供する。ＴＸデータプロセッサＡ １１０は、シンボル変調器Ａ １２０と通信する。シンボル変調器Ａ １２０は、データシンボルおよびダウンリンクパイロットシンボルを受け入れて処理し、シンボルのストリームを提供する。１つの側面では、シンボル変調器Ａ １２０は、構成情報を提供するプロセッサＡ １８０と通信する。シンボル変調器Ａ １２０は、送信機ユニット（ＴＭＴＲ）Ａ １３０と通信する。シンボル変調器Ａ １２０は、データシンボルとダウンリンクパイロットシンボルとを多重化して、それらを送信機ユニットＡ １３０に提供する。
【００１９】
送信される各シンボルは、データシンボル、ダウンリンクパイロットシンボル、または、０の信号値であってもよい。ダウンリンクパイロットシンボルは、各シンボル期間中で連続的に送られてもよい。１つの側面では、ダウンリンクパイロットシンボルは、周波数分割多重化（ＦＤＭ）される。別の側面では、ダウンリンクパイロットシンボルは、直交周波数分割多重化（ＯＦＤＭ）される。さらに別の側面では、ダウンリンクパイロットシンボルは、コード分割多重化（ＣＤＭ）される。１つの側面では、送信機ユニットＡ １３０は、シンボルのストリームを受け取って、１つ以上のアナログ信号へとコンバートし、さらに、アナログ信号を調整し、例えば、増幅し、フィルタリングし、および／または、周波数アップコンバートし、ワイヤレス送信に適したアナログダウンリンク信号を発生させる。アナログダウンリンク信号は、その後、アンテナ１４０を通して送信される。
【００２０】
ダウンリンクレッグにおいて、ＵＥ２０１は、アナログダウンリンク信号を受信して、アナログダウンリンク信号を受信機ユニット（ＲＣＶＲ）Ｂ ２２０に入力するためのアンテナ２１０を備えている。１つの側面では、受信機ユニットＢ ２２０は、アナログダウンリンク信号を第１の「調整した」信号へと、調整し、例えば、フィルタリングし、増幅し、および、周波数ダウンコンバートする。第１の「調整した」信号は、その後、サンプリングされる。受信機ユニットＢ ２２０は、シンボル復調器Ｂ ２３０と通信する。シンボル復調器Ｂ ２３０は、受信機ユニットＢ ２２０から出力された、（データシンボルとしても知られる）第１の「調整した」および「サンプリングした」信号を復調する。当業者は、代替実施形態が、シンボル復調器Ｂ ２３０におけるサンプリングプロセスを実現することを理解するだろう。シンボル復調器Ｂ ２３０は、プロセッサＢ ２４０と通信する。プロセッサＢ ２４０は、ダウンリンクパイロットシンボルをシンボル復調器Ｂ ２３０から受け取って、ダウンリンクパイロットシンボル上でチャネル推定を行う。１つの側面では、チャネル推定は、現在の伝播環境を特徴づけるプロセスである。シンボル復調器Ｂ ２３０は、ダウンリンクレッグに対する周波数応答推定をプロセッサＢ ２４０から受け取る。シンボル復調器Ｂ ２３０は、データシンボル上でデータ復調を行って、ダウンリンクパス上のデータシンボル推定を取得する。ダウンリンクパス上のデータシンボル推定は、送信されたデータシンボルの推定である。シンボル復調器Ｂ ２３０はまた、ＲＸデータプロセッサＢ ２５０と通信する。
【００２１】
ＲＸデータプロセッサＢ ２５０は、ダウンリンクパス上のデータシンボル推定をシンボル復調器Ｂ ２３０から受け取って、ダウンリンクパス上のデータシンボル推定を、例えば、復調（すなわち、シンボルデマッピング）し、インターリーブし、および／または、デコードして、トラフィックデータを復元する。１つの側面では、シンボル復調器Ｂ ２３０およびＲＸデータプロセッサＢ ２５０による処理はそれぞれ、シンボル変調器Ａ １２０およびＴＸデータプロセッサＡ １１０による処理に対して相補的である。
【００２２】
アップリンクレッグにおいて、ＵＥ２０１は、ＴＸデータプロセッサＢ ２６０を備えている。ＴＸデータプロセッサＢ ２６０は、トラフィックデータを受け入れて処理し、データシンボルを出力する。ＴＸデータプロセッサＢ ２６０は、シンボル変調器Ｄ ２７０と通信する。シンボル変調器Ｄ ２７０は、データシンボルを受け入れて、アップリンクパイロットシンボルと多重化し、変調を行って、シンボルのストリームを提供する。１つの側面では、シンボル変調器Ｄ ２７０は、構成情報を提供するプロセッサＢ ２４０と通信する。シンボル変調器Ｄ ２７０は、送信機ユニットＢ ２８０と通信する。
【００２３】
送信される各シンボルは、データシンボル、アップリンクパイロットシンボル、または、０の信号値であってもよい。アップリンクパイロットシンボルは、各シンボル期間中で連続的に送られてもよい。１つの側面では、アップリンクパイロットシンボルは、周波数分割多重化（ＦＤＭ）される。別の側面では、アップリンクパイロットシンボルは、直交周波数分割多重化（ＯＦＤＭ）される。さらに別の側面では、アップリンクパイロットシンボルは、コード分割多重化（ＣＤＭ）される。１つの側面では、送信機ユニットＢ ２８０は、シンボルのストリームを受け取って、１つ以上のアナログ信号へとコンバートし、さらに、アナログ信号を調整し、例えば、増幅し、フィルタリングし、および／または、周波数アップコンバートし、ワイヤレス送信に適したアナログアップリンク信号を発生させる。アナログアップリンク信号は、その後、アンテナ２１０を通して送信される。
【００２４】
ＵＥ２０１からのアナログアップリンク信号は、アンテナ１４０により受信されて、サンプルを取得するために受信機ユニットＡ １５０により処理される。１つの側面では、受信機ユニットＡ １５０は、アナログアップリンク信号を第２の「調整した」信号へと調整し、例えば、フィルタリングし、増幅し、および、周波数ダウンコンバートする。第２の「調整した」信号は、その後、サンプリングされる。受信機ユニットＡ １５０は、シンボル復調器Ｃと通信する。当業者は、代替実施形態が、シンボル復調器Ｃ １６０におけるサンプリングプロセスを実現することを理解するだろう。シンボル復調器Ｃ １６０は、データシンボル上でデータ復調を行って、アップリンクパス上のデータシンボル推定を取得し、その後、アップリンクパイロットシンボルとアップリンクパス上のデータシンボル推定とをＲＸデータプロセッサＡ １７０に提供する。アップリンクパス上のデータシンボル推定は、送信されたデータシンボルの推定である。ＲＸデータプロセッサＡ １７０は、アップリンクパス上のデータシンボル推定を処理して、ワイヤレス通信デバイス２０１により送信されたトラフィックデータを復元する。シンボル復調器Ｃ １６０はまた、プロセッサＡ １８０と通信する。プロセッサＡ １８０は、アップリンクレッグ上で送信する、アクティブな端末それぞれに対するチャネル推定を行う。１つの側面では、複数の端末は、それらそれぞれに割り当てられているパイロットサブ帯域の組において、アップリンクレッグ上で同時にパイロットシンボルを送信してもよい。ここで、パイロットサブ帯域の組は、インターレースされていてもよい。
【００２５】
プロセッサＡ １８０およびプロセッサＢ ２４０は、（基地局としても知られる）アクセスノード１０１における動作と、ＵＥ２０１における動作とをそれぞれ命令する（すなわち、制御する、調整する、管理する等）。１つの側面では、プロセッサＡ １８０またはプロセッサＢ ２４０のいずれか、あるいは、双方が、プログラムコードおよび／またはデータを記憶する（示していない）１つ以上のメモリユニットに関係付けられている。１つの側面では、プロセッサＡ １８０またはプロセッサＢ ２４０のいずれか、あるいは、双方が、アップリンクレッグとダウンリンクレッグとに対する、周波数応答推定およびインパルス応答推定をそれぞれ導出するための計算を行う。
【００２６】
１つの側面では、アクセスノード／ＵＥシステム１００は、多元接続システムである。多元接続システム（例えば、ＦＤＭＡ、ＯＦＤＭＡ、ＣＤＭＡ、ＴＤＭＡ、ＳＤＭＡ等）に対しては、複数の端末が、アップリンクレッグ上で同時に送信する。１つの側面では、多元接続システムに対して、異なる端末間でパイロットサブ帯域を共有してもよい。各端末に対するパイロットサブ帯域が、（おそらく、帯域端を除いて）動作帯域全体にまたがるケースでは、チャネル推定技法が使用される。このようなパイロットサブ帯域構造は、各端末に対して周波数ダイバーシティを取得することが望ましい。
【００２７】
図２は、複数のユーザをサポートするワイヤレス通信システム２９０の例を示している。図２では、参照番号２９２Ａ〜２９２Ｇはセルに言及し、参照番号２９８Ａ〜２９８Ｇは基地局（ＢＳ）または基地トランシーバ局（ＢＴＳ）に言及し、参照番号２９６Ａ〜２９６Ｊはアクセスユーザ機器（ＵＥ）に言及する。セルサイズは変化してもよい。さまざまなアルゴリズムおよび方法のうちの何らかのものを使用して、システム２９０中の送信をスケジューリングしてもよい。システム２９０は、多数のセル２９２Ａないし２９２Ｇに対する通信を提供し、それらのうちのそれぞれには、対応する基地局２９８Ａないし２９８Ｇにより、それぞれサービスが提供される。進行中の通話が、１つのネットワークのセルと別のネットワークのセルとの間で移行するときに、システム間（すなわち、無線アクセス技術間（ＩＲＡＴ）移行）ハンドオーバーが生じる。このような移行は、例えば、ＷＣＤＭＡサイトとＧＳＭ（登録商標）サイトとの間で生じてもよい。
【００２８】
多くの第４世代（４Ｇ）ワイヤレスシステム、例えば、ＬＴＥは、より良いスペクトル効率のために、ユニバーサル周波数再使用を採用してきた。この傾向は、一般的に、ワイヤレス端末の干渉環境を増加させる。加えて、ワイヤレスシステムは、そのダウンリンク送信中にパイロット信号を含んでいることが多い。パイロット信号は、ワイヤレス通信システムにおいて、基準信号として使用される。例えば、パイロット信号は、周波数基準、時間基準、擬似ノイズ（ＰＮ）コード基準、または、電力制御基準として使用してもよい。ＬＴＥでは、パイロット信号には、１次同期化信号、２次同期化信号、または、共通基準信号が含まれる。しかしながら、いくつかのケースでは、可聴性問題として知られているように、ポジショニングを不正確にさせる強い干渉により、ダウンリンクパイロット信号の検出が困難になることがある。
【００２９】
１つの従来のソリューションでは、パイロット干渉キャンセル技法を使用する場合に、１ｘＥＶ−ＤＯ（エボリューションデータオプティマイズド）パイロット可聴性は改善されるが、改善の程度は、チャネル推定誤差により制限される。別の従来のソリューションでは、時間ダイバーシティ技法を使用して、可聴性を改善する。しかしながら、時間ダイバーシティは、処理時間の増加を必要とするという欠点を有している。したがって、改善されたパイロット可聴性を得ることは、多くのワイヤレス通信システムにとって課題であり続けている。
【００３０】
ここで開示するように、高検出可能パイロット（ＨＤＰ）は、改善された可聴性およびロケーション正確性を持つポジショニングを目的として使用される。ＨＤＰ信号は、従来のパイロット信号と比べて、基地局からより遠くの距離にある移動体端末によって検出が可能である。さらに一般的に、可聴性を改善するためのＨＤＰ信号の使用は、他のタイプのシステム、例えば、直交周波数多重化（ＯＦＤＭ）システム等に適用することができる。当業者は、本開示が何らかの特定のワイヤレス通信システムに限定されないことと、本開示の範囲または精神に影響を及ぼすことなく、本開示が、多くのワイヤレス通信システムに対して等しく適用可能であることとを理解するだろう。
【００３１】
１つの側面では、システム時間と整列されているセクター特定セクター識別子を持つ、１．２２８８Ｍチップ／秒（Ｍｃｐｓ）のＰＮシーケンスにより、ｃｄｍａ２０００ １ｘダウンリンク搬送波は拡散される。パイロットチャネルは、コード分割多重化されて、最大電力の何分の１かで連続的に送信される。別の例では、ｃｄｍａ２０００ １ｘＥＶＤＯダウンリンクに対しては、パイロットチャネルは、時分割多重化されて、最大電力によって、バーストモードで送信される。
【００３２】
図３は、１ｘＥＶ−ＤＯダウンリンクスロット構造の例を示している。１つの例では、１ｘＥＶ−ＤＯダウンリンク送信は、それぞれが１．６６ｍｓ期間を持つ、２０４８チップのタイムスロットから成る。図３で示しているように、（ダウンリンクのデータ部分内の）パイロット、メディアアクセス制御（ＭＡＣ）、および、トラフィックまたは制御チャネルは、時分割多重化されている。
【００３３】
図４は、１ｘＥＶ−ＤＯ高検出可能パイロット（ＨＤＰ）スロット構造の例を示している。図４で示しているように、ＨＤＰスロットに対して、専用のタイムスロットが割り振られている。ＨＤＰチャネルは、およそ１％の低いデューティーサイクルを持つデータ部分を使用する。パイロットおよびＭＡＣチャネルは、後方互換性のために維持されている。
【００３４】
タイムスロットや、周波数ビンや、または、時間周波数ビンのような、多くの方法で、ＨＤＰが割り振られているリソースを実現することができる。ここで述べるインプリメンテーションが排他的でも限定的でもないことと、本開示の範囲または精神に影響を及ぼすことなく、他のインプリメンテーションを使用できることとを当業者は理解するだろう。１つの例では、割り振られているリソースは、何らかの全次元直交ベースで、Ｋ個のグループに区分される。その後、セルのセクターが、時間周波数リソースに関係付けられる。
【００３５】
ＨＤＰ機会は、時間および／または周波数の利用可能な送信リソースの部分集合であり、この部分集合がＨＤＰ信号の送信のために利用可能である。ＨＤＰ機会はまた、そうでなく、本開示の範囲または精神に影響を及ぼすことなく、例えば、周波数ビンや、タイムスロットや、ＰＮコード等として、定義できることを当業者は理解するだろう。１つの例では、ＨＤＰ機会のウィンドウ期間は、ワイヤレス通信システムおよびその変調／多元接続技法に依存することがある。ＨＤＰ機会内には、ＨＤＰ送信のために利用可能なサブスロットがある。１つの例では、ＨＤＰ信号は、サブスロットのうちの１つの内で送信することができ、サブスロットは、例えばハッシュ関数のような決定論的な関数により決定することができる。１つの側面では、サブスロットは、時間周波数リソースの集合であり、例えば、１つ以上のＯＦＤＭシンボルや、１つ以上のＯＦＤＭシンボル中の１組の等間隔があけられたリソースエレメント等である。
【００３６】
セクターベースのＨＤＰ多重化では、セルの１つのセクターが、ＨＤＰ信号を送信するための１つのＯＦＤＭシンボルをランダムに選択する。１つの例では、セルＩＤのハッシュ関数を使用して、ランダムな選択を実現する。１つの例では、ハッシュ関数が、セルＩＤをより低い次元の値へとマッピングする。セクターベースのＨＤＰ多重化では、セルのセクターは、ＨＤＰ信号を並行して送信しない。
【００３７】
セルベースのＨＤＰ多重化では、各セルが、ＨＤＰ信号を送信するために１つのＯＦＤＭシンボルをランダムに選択する。１つの例では、セルＩＤのハッシュ関数を使用して、ランダムな選択を実現する。このセルベースのスキームでは、セルの１つより多いセクターが、１つのセクターのシグニチャを並行して同時送信する。１つの例では、シグニチャは、セクター識別子である。加えて、各ＨＤＰ送信機会に対して、セクターのシグニチャが変化してもよい。ここで述べるＯＦＤＭ技法の例が排他的でないことと、本開示の範囲または精神に影響を及ぼすことなく、他の通信技法を使用することもできることとを当業者は理解するだろう。他の通信技法は、これらに限定されないが、時分割多重化（ＴＤＭ）や、周波数分割多重化（ＦＤＭ）や、コード分割多重化（ＣＤＭ）や、または、これらの組み合わせ等である。
【００３８】
図５は、セクターベースのＨＤＰ多重化とセルベースのＨＤＰ多重化との機能的な差異を示している。セクターベースのスキームに対しては、１つのセクターのみがＨＤＰ信号を一度に送信するのに対し、セルベースのスキームに対しては、１つより多いセクターがＨＤＰ信号を同時に送信する。
【００３９】
図６は、ロングタームエボリューション（ＬＴＥ）システムにおける、セルベースのＰＲＳ多重化に対する例示的なフローダイヤグラムを示している。ブロック６１０では、ポジショニング基準信号（ＰＲＳ）機会が存在するかどうかを決定する。ブロック６１０に続いて、ブロック６２０では、ＰＲＳ信号の送信のための、ＰＲＳ機会内のサブスロットを選択し、ＰＲＳ信号の送信のための、ｅＮｏｄｅＢ内の１つより多いセルをアクティブにする。ブロック６２０に続いて、ブロック６３０では、第１のセルのオフセットに物理セル識別子（ＰＣＩ）をセットする。ブロック６３０に続いて、ブロック６４０では、１つより多いセルにおいて、第１のセルのＰＣＩを持つＰＲＳ信号を送信する。１つの側面では、別のセルおよび別のＰＣＩに対して、ブロック６３０およびブロック６４０におけるステップを少なくとも１回繰り返す。
【００４０】
図７は、セルベースの高検出可能パイロット（ＨＤＰ）多重化に対する例示的なフローダイヤグラムを示している。図７で示している例は、さまざまなワイヤレス通信システムに対して適用可能であることを当業者は理解するだろう。さまざまなワイヤレス通信システムには、第４世代ワイヤレス通信システム（４Ｇ）ロングタームエボリューション（ＬＴＥ）と、これらに限定されないが、ＯＦＤＭシステムや、ＵＭＢ（ウルトラモバイルブロードバンド）システムや、ｃｄｍａ２０００システムや、ＥＶＤＯシステム等の他のワイヤレス通信システムとが含まれる。ブロック７１０では、ＨＤＰ機会が存在するかどうかを決定する。１つの例では、ＨＤＰ機会は、周波数ビンや、タイムスロットや、または、ＰＮコードのうちの１つである。１つの例では、ＨＤＰ機会は、１組の時間周波数リソースである。周波数ビンの例では、ＨＤＰ機会は、データに対して、指定されている周波数ビンの間に位置している。その後、ＨＤＰ機会（すなわち、周波数ビン）が、高検出可能パイロット信号の送信のために使用される。１つの例では、図１で示したプロセッサＡ １８０のようなプロセッサにより、ブロック７１０におけるステップを行うことができる。
【００４１】
ＨＤＰ機会内には、ＨＤＰ信号の送信のためのサブスロットがある。ブロック７１０に続いて、ブロック７２０では、ＨＤＰ信号の送信のための、ＨＤＰ機会内のサブスロットを選択し、ＨＤＰ信号の送信のための、セル内の１つより多いセクターをアクティブにする。１つの例では、サブスロットは、決定論的な関数により選択される。１つのバリエーションでは、決定論的な関数は、時間の関数である。決定論的な関数は、異なる時間において入力された同じセクター識別子（例えば、ＰＮオフセット）が、ＨＤＰ信号の送信のためのサブスロットの異なる選択を生じさせるという動的な特性を有している。１つの他のバリエーションでは、決定論的な関数は、ハッシュ関数である。１つの側面では、ＨＤＰ機会のウィンドウ期間（例えば、幅）は、ＯＦＤＭ通信システムおよびその変調／多元接続技法におけるような、ワイヤレス通信システムに依存する。１つの例では、図１で示したプロセッサＡ １８０のようなプロセッサにより、ブロック７２０におけるステップを行うことができる。
【００４２】
ブロック７２０に続いて、ブロック７３０では、第１のセクターのオフセットにセクター識別子（例えば、ＰＮオフセット）をセットする。第１のセクターは、セル内でアクティブにされている１つより多いセクターのうちの１つである。セクター識別子は、第１のセクターに対する「セクターシグニチャ」だと考えることができる。１つの例では、図１で示したプロセッサＡ １８０のようなプロセッサにより、ブロック７３０におけるステップを行うことができる。
【００４３】
ブロック７３０に続いて、ブロック７４０では、１つより多いセクターにおいて、第１のセクターのセクター識別子を持つＨＤＰ信号を送信する。ＨＤＰ信号は、セルの１つより多いセクターにおいて、指定された時間期間の間に送信される。１つの例では、指定された時間期間は、ＯＦＤＭ通信システムのようなワイヤレス通信システムに依存する。１つの例では、ＨＤＰ信号は、時分割多重化（ＴＤＭ）や、周波数分割多重化（ＦＤＭ）や、コード分割多重化（ＣＤＭ）や、または、これらの組み合わせのうちの１つを使用して送信される。１つの例では、図１で示した送信機Ａ １３０のような送信機により、ブロック７４０におけるステップを行うことができる。
【００４４】
ブロック７４０に続いて、セル内でアクティブにされている１つより多いセクター中の別のセクターに対して、ブロック７３０およびブロック７４０におけるステップを繰り返す。ここで、別のセクターは、第１のセクターとは異なっている。１つの例では、別のセクターに対して、異なるセクター識別子を使用する。セル内のアクティブにされているセクターの数と同じ回数だけ、ブロック７３０およびブロック７４０におけるステップを繰り返すことができることを当業者は理解するだろう。
【００４５】
１つの例では、セルベースのＨＤＰ多重化を他のワイヤレス通信システムに拡張することができる。他のワイヤレス通信システムは、これらに限定されないが、例えば、ＯＦＤＭシステム、ＬＴＥ（ロングタームエボリューション）システム、ＵＭＢ（ウルトラモバイルブロードバンド）システム、ｃｄｍａ２０００、ＥＶＤＯ等のような、３ＧＰＰおよび３ＧＰＰ２により開発されている標準規格を使用する、第３世代（３Ｇ）および第４世代（４Ｇ）のワイヤレス通信システムである。当業者は、本開示が特定のタイプまたは特定の世代のワイヤレス通信システムに限定されず、そのため、ここで開示する特徴を使用するあらゆるワイヤレス通信システムに対して適用可能であることを理解するだろう。
【００４６】
当業者は、本開示の範囲および精神から逸脱することなく、図７中の例示的なフローダイヤグラムで開示したステップの順序を交換できることを理解するだろう。また、当業者は、フローダイヤグラムで示したステップが排他的なものではなく、本開示の範囲および精神に影響を及ぼすことなく、他のステップを含めることができ、あるいは、例示的なフローダイヤグラム中のステップのうちの１つ以上を削除できることを理解するだろう。
【００４７】
ここで開示した例に関連して説明したさまざまな例示的なコンポーネント、論理ブロック、モジュール、回路、および／または、アルゴリズムステップが、電子ハードウェア、ファームウェア、コンピュータソフトウェア、または、これらを組み合わせたものとして実現されてもよいことを当業者はさらに正しく認識するであろう。ハードウェア、ファームウェア、およびソフトウェアのこの交換可能性を明確に示すために、さまざまな例示的なコンポーネント、ブロック、モジュール、回路、および／または、アルゴリズムステップを概してこれらの機能性に関して上述した。そのような機能が、ハードウェア、ファームウェア、またはソフトウェアとして実現されるか否かは、特定の応用およびシステム全体に課せられた設計の制約に依存する。当業者は、それぞれの特定の応用に対して変化する方法で、説明した機能性を実現してもよいが、そのようなインプリメンテーションの決定は、本開示の範囲または精神からの逸脱を生じさせるものとして解釈すべきではない。
【００４８】
ハードウェアインプリメンテーションのために、処理ユニットは、１つ以上の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、制御装置、マイクロ制御装置、マイクロプロセッサ、ここで説明した機能を実行するように設計されている他の電子ユニット、あるいはこれらを組み合わせたもの内で実現されてもよい。ソフトウェアでは、インプリメンテーションは、ここで説明した機能を実行するモジュール（例えば、手順、関数等）によるものであってもよい。ソフトウェアコードは、メモリユニット中に記憶されて、プロセッサユニットによって実行されてもよい。加えて、ここで説明したさまざまな例示的なフローダイヤグラム、論理ブロック、モジュール、および／または、アルゴリズムステップは、技術的に知られている何らかのコンピュータ読取可能媒体上で運ばれるコンピュータ読取可能命令として、コード化されてもよく、あるいは、技術的に知られている何らかのコンピュータプログラムプロダクト中で実現されてもよい。
【００４９】
１つ以上の例において、ここで説明したステップまたは機能は、ハードウェアで、ソフトウェアで、ファームウェアで、または、これらの何らかの組み合わせで実現してもよい。ソフトウェアで実現された場合、機能は、１つ以上の命令またはコードとして、コンピュータ読取可能媒体上に記憶されてもよく、あるいは、１つ以上の命令またはコードとして、コンピュータ読取可能媒体上に送信されてもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを運ぶまたは記憶するために使用できる他の何らかの媒体を含んでいてもよい。また、あらゆる接続は、コンピュータ読取可能媒体と適切に呼ばれる。例えば、ソフトウェアが、同軸ケーブルや、光ファイバケーブルや、撚り対や、デジタル加入者回線（ＤＳＬ）や、あるいは、赤外線、無線、および、マイクロ波のような、ワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、および、マイクロ波のような、ワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読取可能媒体の範囲内に含められるべきである。
【００５０】
１つの例では、ここで説明した例示的なコンポーネント、フローダイヤグラム、論理ブロック、モジュール、および／または、アルゴリズムステップは、１つ以上のプロセッサによって実現または実行される。１つの側面では、ここで説明したさまざまなフローダイヤグラム、論理ブロック、および／または、モジュールを実現または実行するために、プロセッサは、プロセッサにより実行されるデータ、メタデータ、プログラム命令等を記憶するメモリに結合されている。図８は、セルベースの高検出可能パイロット（ＨＤＰ）多重化に対するプロセスを実行するための、メモリ８２０と通信するプロセッサ８１０を備えているデバイス８００の例を示している。１つの例では、デバイス８００を使用して、図７で示したアルゴリズムを実現する。１つの側面では、メモリ８２０は、プロセッサ８１０内に位置している。別の側面では、メモリ８２０は、プロセッサ８１０の外部にある。１つの側面では、プロセッサは、ここで説明する、さまざまなフローダイヤグラム、論理ブロックおよび／またはモジュールを実現または実行するための回路を備えている。
【００５１】
図９は、セルベースの高検出可能パイロット（ＨＤＰ）多重化に適したデバイス９００の例を示している。１つの側面では、ここで、ブロック９１０、９２０、９３０、９４０、および、９５０において説明するような、セルベースの高検出可能パイロット（ＨＤＰ）多重化の異なる側面を提供するように構成されている１つ以上のモジュールを備えている、少なくとも１つのプロセッサにより、デバイス９００は実現される。例えば、各モジュールは、ハードウェア、ファームウェア、ソフトウェア、または、これらの何らかの組み合わせを含む。１つの側面では、少なくとも１つのプロセッサと通信する少なくとも１つのメモリによっても、デバイス９００は実現される。
【００５２】
開示した側面の先の説明は、当業者が本開示を製造または使用することができるように提供されている。これらの側面に対するさまざまな改良は、当業者にとって容易に明らかだろう。本開示の精神または範囲から逸脱することなく、ここで定義した一般的な原理を他の側面に対して適用してもよい。
【図１】
2011524690.tif 000003
【図２】
2011524690.tif 000004
【図３】
2011524690.tif 000005
【図４】
2011524690.tif 000006
【図５】
2011524690.tif 000007
【図６】
2011524690.tif 000008
【図７】
2011524690.tif 000009
【図８】
2011524690.tif 000010
【図９】
2011524690.tif 000011
【手続補正書】
【提出日】平成23年5月2日(2011.5.2)
【手続補正１】
【補正対象書類名】特許請求の範囲
【補正対象項目名】全文
【補正方法】変更
【補正の内容】
【特許請求の範囲】
【請求項１】
セルベースの高検出可能パイロット（ＨＤＰ）多重化のための方法において、
ＨＤＰ機会が存在するかどうかを決定することと、
ＨＤＰ信号の送信のための、前記ＨＤＰ機会内のサブスロットを選択することと、
前記ＨＤＰ信号の送信のための、セル内の１つより多いセクターをアクティブにすることとを含む方法。
【請求項２】
前記１つより多いセクターからの第１のセクターのオフセットにセクター識別子をセットすることと、
前記１つより多いセクターにおいて、前記第１のセクターの前記セクター識別子を持つ前記ＨＤＰ信号を送信することとをさらに含む請求項１記載の方法。
【請求項３】
前記１つより多いセクターにおいて、前記セルに対するセル識別子に基づいて、共通シーケンスを送信することをさらに含む請求項２記載の方法。
【請求項４】
前記ＨＤＰ機会は、１組の時間周波数リソースである請求項１記載の方法。
【請求項５】
前記ＨＤＰ機会は、データ送信に対して指定されている２つの周波数ビンの間に位置付けられている請求項１記載の方法。
【請求項６】
前記サブスロットは、決定論的な関数により選択される請求項１記載の方法。
【請求項７】
前記決定論的な関数は、時間の関数である請求項６記載の方法。
【請求項８】
前記サブスロットは、ハッシュ関数により選択される請求項１記載の方法。
【請求項９】
前記セルは、１Ｘシステム、１ｘＥＶ−ＤＯシステム、ＯＦＤＭシステム、ＬＴＥ（ロングタームエボリューション）システム、または、ＵＭＢ（ウルトラモバイルブロードバンド）システムのうちの１つである、ワイヤレス通信システムの一部である請求項１記載の方法。
【請求項１０】
前記ＨＤＰ信号は、時分割多重化（ＴＤＭ）、周波数分割多重化（ＦＤＭ）、コード分割多重化（ＣＤＭ）、または、これらの組み合わせのうちの１つを使用して送信される請求項９記載の方法。
【請求項１１】
前記セットステップおよび送信ステップは、第２のセクター識別子を使用して、前記１つより多いセクターからの第２のセクターに対して実行される請求項２記載の方法。
【請求項１２】
前記セットステップおよび送信ステップは、少なくとも３回実行され、それぞれの回は、前記１つより多いセクターからの異なるセクターに対するものであり、それぞれの回は、異なるセクター識別子を使用する請求項２記載の方法。
【請求項１３】
セルベースの高検出可能パイロット（ＨＤＰ）多重化のための装置において、
前記装置は、
ＨＤＰ機会が存在するかどうかを決定するためと、
ＨＤＰ信号の送信のための、前記ＨＤＰ機会内のサブスロットを選択するためと、
前記ＨＤＰ信号の送信のための、セル内の１つより多いセクターをアクティブにするためのプロセッサを具備する装置。
【請求項１４】
前記プロセッサは、前記１つより多いセクターからの第１のセクターのオフセットに第１のセクター識別子をセットし、
前記１つより多いセクターにおいて、前記第１のセクターの前記第１のセクター識別子を持つ前記ＨＤＰ信号を送信するための送信機をさらに具備する請求項１３記載の装置。
【請求項１５】
前記送信機は、前記１つより多いセクターにおいて、前記セルに対するセル識別子に基づいて、共通シーケンスをさらに送信する請求項１４記載の装置。
【請求項１６】
前記ＨＤＰ機会は、１組の時間周波数リソースである請求項１３記載の装置。
【請求項１７】
前記ＨＤＰ機会は、データ送信に対して指定されている２つの周波数ビンの間に位置する周波数ビンである請求項１３記載の装置。
【請求項１８】
前記プロセッサは、前記サブスロットを選択するために、決定論的な関数を使用する請求項１３記載の装置。
【請求項１９】
前記決定論的な関数は、時間の関数である請求項１８記載の装置。
【請求項２０】
前記プロセッサは、前記サブスロットを選択するために、ハッシュ関数を使用する請求項１３記載の装置。
【請求項２１】
前記装置は、１Ｘシステム、１ｘＥＶ−ＤＯシステム、ＯＦＤＭシステム、ＬＴＥ（ロングタームエボリューション）システム、または、ＵＭＢ（ウルトラモバイルブロードバンド）システムのうちの１つである、ワイヤレス通信システムの一部である請求項１３記載の装置。
【請求項２２】
前記ＨＤＰ信号は、時分割多重化（ＴＤＭ）、周波数分割多重化（ＦＤＭ）、コード分割多重化（ＣＤＭ）、または、これらの組み合わせのうちの１つを使用して送信される請求項２１記載の装置。
【請求項２３】
前記プロセッサは、前記１つより多いセクターからの第２のセクターのオフセットに第２のセクター識別子をセットし、
前記送信機は、前記１つより多いセクターにおいて、２回目に、前記第２のセクターの前記第２のセクター識別子を持つ前記ＨＤＰ信号を送信し、
前記第２のセクター識別子は、前記第１のセクター識別子とは異なり、前記第２のセクターは、前記第１のセクターとは異なる請求項１４記載の装置。
【請求項２４】
前記プロセッサは、前記１つより多いセクターからの第３のセクターのオフセットに第３のセクター識別子をセットし、
前記送信機は、前記１つより多いセクターにおいて、３回目に、前記第３のセクターの前記第３のセクター識別子を持つ前記ＨＤＰ信号を送信し、
前記第３のセクター識別子は、前記第１および第２のセクター識別子とは異なり、前記第３のセクターは、前記第１および第２のセクターとは異なる請求項２３記載の装置。
【請求項２５】
前記装置は、ＦＥＭＴＯセルである請求項１３記載の装置。
【請求項２６】
セルベースの高検出可能パイロット（ＨＤＰ）多重化のための装置において、
ＨＤＰ機会が存在するかどうかを決定する手段と、
ＨＤＰ信号の送信のための、前記ＨＤＰ機会内のサブスロットを選択する手段と、
前記ＨＤＰ信号の送信のための、セル内の１つより多いセクターをアクティブにする手段とを具備する装置。
【請求項２７】
前記１つより多いセクターからの第１のセクターのオフセットに第１のセクター識別子をセットする手段と、
前記１つより多いセクターにおいて、前記第１のセクターの前記第１のセクター識別子を持つ前記ＨＤＰ信号を送信する手段とをさらに具備する請求項２６記載の装置。
【請求項２８】
前記１つより多いセクターにおいて、前記セルに対するセル識別子に基づいて、共通シーケンスを送信する手段をさらに具備する請求項２７記載の装置。
【請求項２９】
前記ＨＤＰ機会は、１組の時間周波数リソースである請求項２６記載の装置。
【請求項３０】
前記ＨＤＰ機会は、データ送信に対して指定されている２つの周波数ビンの間に位置する周波数ビンである請求項２６記載の装置。
【請求項３１】
前記サブスロットを選択する手段は、決定論的な関数を使用する請求項２６記載の装置。
【請求項３２】
前記決定論的な関数は、時間の関数である請求項３１記載の装置。
【請求項３３】
前記サブスロットを選択する手段は、ハッシュ関数を使用する請求項２６記載の装置。
【請求項３４】
前記装置は、１Ｘシステム、１ｘＥＶ−ＤＯシステム、ＯＦＤＭシステム、ＬＴＥ（ロングタームエボリューション）システム、または、ＵＭＢ（ウルトラモバイルブロードバンド）システムのうちの１つである、ワイヤレス通信システムの一部である請求項２６記載の装置。
【請求項３５】
前記送信する手段は、前記ＨＤＰ信号を送信するために、時分割多重化（ＴＤＭ）、周波数分割多重化（ＦＤＭ）、コード分割多重化（ＣＤＭ）、または、これらの組み合わせのうちの１つを使用する請求項３４記載の装置。
【請求項３６】
前記１つより多いセクターからの第２のセクターのオフセットに第２のセクター識別子をセットする手段と、
前記１つより多いセクターにおいて、２回目に、前記第２のセクターの前記第２のセクター識別子を持つ前記ＨＤＰ信号を送信する手段とをさらに具備し、
前記第２のセクター識別子は、前記第１のセクター識別子とは異なり、前記第２のセクターは、前記第１のセクターとは異なる請求項２７記載の装置。
【請求項３７】
前記１つより多いセクターからの第３のセクターのオフセットに第３のセクター識別子をセットする手段と、
前記１つより多いセクターにおいて、３回目に、前記第３のセクターの前記第３のセクター識別子を持つ前記ＨＤＰ信号を送信する手段とを具備し、
前記第３のセクター識別子は、前記第１および第２のセクター識別子とは異なり、前記第３のセクターは、前記第１および第２のセクターとは異なる請求項３６記載の装置。
【請求項３８】
命令を含むコンピュータプログラムを有するコンピュータ読取可能記憶媒体において、
命令を含むコンピュータプログラムは、少なくとも１つのプロセッサにより実行されるときに、セルベースの高検出可能パイロット（ＨＤＰ）多重化を動作させ、
前記コンピュータプログラムは、
ＨＤＰ機会が存在するかどうかを決定するための命令と、
ＨＤＰ信号の送信のための、前記ＨＤＰ機会内のサブスロットを選択するための命令と、
前記ＨＤＰ信号の送信のための、セル内の１つより多いセクターをアクティブにするための命令とを含むコンピュータ読取可能記憶媒体。
【請求項３９】
前記１つより多いセクターからの第１のセクターのオフセットに第１のセクター識別子をセットするための命令と、
前記１つより多いセクターにおいて、前記第１のセクターの前記第１のセクター識別子を持つ前記ＨＤＰ信号を送信するための命令とをさらに含む請求項３８記載のコンピュータ読取可能記憶媒体。
【請求項４０】
前記１つより多いセクターにおいて、前記セルに対するセル識別子に基づいて、共通シーケンスを送信するための命令をさらに含む請求項３９記載のコンピュータ読取可能記憶媒体。
【請求項４１】
前記１つより多いセクターからの第２のセクターのオフセットに第２のセクター識別子をセットするための命令と、
前記１つより多いセクターにおいて、２回目に、前記第２のセクターの前記第２のセクター識別子を持つ前記ＨＤＰ信号を送信するための命令とをさらに含み、
前記第２のセクター識別子は、前記第１のセクター識別子とは異なり、前記第２のセクターは、前記第１のセクターとは異なる請求項３９記載のコンピュータ読取可能記憶媒体。
【請求項４２】
前記１つより多いセクターからの第３のセクターのオフセットに第３のセクター識別子をセットするための命令と、
前記１つより多いセクターにおいて、３回目に、前記第３のセクターの前記第３のセクター識別子を持つ前記ＨＤＰ信号を送信するための命令とをさらに含み、
前記第３のセクター識別子は、前記第１および第２のセクター識別子とは異なり、前記第３のセクターは、前記第１および第２のセクターとは異なる請求項４１記載のコンピュータ読取可能記憶媒体。
【請求項４３】
多重化されたセルベースの高検出可能パイロット（ＨＤＰ）を受信するための方法において、
１つより多いセクターにおいて送信された、セクター識別子を持つＨＤＰ信号をユーザ機器により受信することと、
前記ユーザ機器が位置するセクターに、前記セクター識別子が属しているか否かを決定し、前記セクターは、前記１つより多いセクターのうちの１つであることと、
前記ユーザ機器が位置するセクターに、前記セクター識別子が属している場合に、前記ＨＤＰ信号を処理して、前記ユーザ機器の位置を決定すること、または、
前記ユーザ機器が位置するセクターに、前記セクター識別子が属していない場合に、前記ＨＤＰ信号を無視することとを含む方法。
【請求項４４】
多重化されたセルベースの高検出可能パイロット（ＨＤＰ）を受信するための装置において、
１つより多いセクターにおいて送信された、セクター識別子を持つＨＤＰ信号をユーザ機器により受信する手段と、
前記ユーザ機器が位置するセクターに、前記セクター識別子が属しているか否かを決定し、前記セクターは、前記１つより多いセクターのうちの１つである手段と、
前記ユーザ機器が位置するセクターに、前記セクター識別子が属している場合に、前記ＨＤＰ信号を処理して、前記ユーザ機器の位置を決定する手段、または、
前記ユーザ機器が位置するセクターに、前記セクター識別子が属していない場合に、前記ＨＤＰ信号を無視する手段とを具備する装置。
【請求項４５】
命令を含むコンピュータプログラムを有するコンピュータ読取可能記憶媒体において、
命令を含むコンピュータプログラムは、少なくとも１つのプロセッサにより実行されるときに、多重化されたセルベースの高検出可能パイロット（ＨＤＰ）を受信するために動作し、
前記コンピュータプログラムは、
１つより多いセクターにおいて送信された、セクター識別子を持つＨＤＰ信号をユーザ機器により受信するための命令と、
前記ユーザ機器が位置するセクターに、前記セクター識別子が属しているか否かを決定し、前記セクターは、前記１つより多いセクターのうちの１つであるための命令と、
前記ユーザ機器が位置するセクターに、前記セクター識別子が属している場合に、前記ＨＤＰ信号を処理して、前記ユーザ機器の位置を決定するための命令、または、
前記ユーザ機器が位置するセクターに、前記セクター識別子が属していない場合に、前記ＨＤＰ信号を無視するための命令とを含むコンピュータ読取可能記憶媒体。
【手続補正２】
【補正対象書類名】明細書
【補正対象項目名】０００４
【補正方法】変更
【補正の内容】
【０００４】
ワイヤレス相互接続に対して無線周波数を使用するために、すべての移動体ユーザは、ワイヤレス通信サービスに対して割り振られている数少ない無線スペクトルを共有するための共通した１組のプロトコルに同意しなければならない。１つの重要なプロトコルは、複数の移動体デバイスをワイヤレス通信ネットワークに接続するために使用されるアクセス方法に関する。さまざまなアクセス方法は、周波数分割多元接続（ＦＤＭＡ）と、時分割多元接続（ＴＤＭＡ）と、コード分割多元接続（ＣＤＭＡ）と、直交周波数分割多元接続（ＯＦＤＭＡ）とを含んでいる。
【手続補正３】
【補正対象書類名】明細書
【補正対象項目名】００５２
【補正方法】変更
【補正の内容】
【００５２】
開示した側面の先の説明は、当業者が本開示を製造または使用することができるように提供されている。これらの側面に対するさまざまな改良は、当業者にとって容易に明らかだろう。本開示の精神または範囲から逸脱することなく、ここで定義した一般的な原理を他の側面に対して適用してもよい。
以下に、本願出願の当初の特許請求の範囲に記載された発明を付記する。
［１］セルベースの高検出可能パイロット（ＨＤＰ）多重化のための方法において、
ＨＤＰ機会が存在するかどうかを決定することと、
ＨＤＰ信号の送信のための、前記ＨＤＰ機会内のサブスロットを選択することと、
前記ＨＤＰ信号の送信のための、セル内の１つより多いセクターをアクティブにすることとを含む方法。
［２］前記１つより多いセクターからの第１のセクターのオフセットにセクター識別子をセットすることと、
前記１つより多いセクターにおいて、前記第１のセクターの前記セクター識別子を持つ前記ＨＤＰ信号を送信することとをさらに含む［１］に記載の方法。
［３］前記１つより多いセクターにおいて、前記セルに対するセル識別子に基づいて、共通シーケンスを送信することをさらに含む［２］に記載の方法。
［４］前記ＨＤＰ機会は、１組の時間周波数リソースである［１］に記載の方法。
［５］前記ＨＤＰ機会は、データ送信に対して指定されている２つの周波数ビンの間に位置付けられている［１］に記載の方法。
［６］前記サブスロットは、決定論的な関数により選択される［１］に記載の方法。
［７］前記決定論的な関数は、時間の関数である［６］に記載の方法。
［８］前記サブスロットは、ハッシュ関数により選択される［１］に記載の方法。
［９］前記セルは、１Ｘシステム、１ｘＥＶ−ＤＯシステム、ＯＦＤＭシステム、ＬＴＥ（ロングタームエボリューション）システム、または、ＵＭＢ（ウルトラモバイルブロードバンド）システムのうちの１つである、ワイヤレス通信システムの一部である［１］に記載の方法。
［１０］前記ＨＤＰ信号は、時分割多重化（ＴＤＭ）、周波数分割多重化（ＦＤＭ）、コード分割多重化（ＣＤＭ）、または、これらの組み合わせのうちの１つを使用して送信される［９］に記載の方法。
［１１］前記セットステップおよび送信ステップは、第２のセクター識別子を使用して、前記１つより多いセクターからの第２のセクターに対して実行される［２］に記載の方法。
［１２］前記セットステップおよび送信ステップは、少なくとも３回実行され、それぞれの回は、前記１つより多いセクターからの異なるセクターに対するものであり、それぞれの回は、異なるセクター識別子を使用する［２］に記載の方法。
［１３］セルベースの高検出可能パイロット（ＨＤＰ）多重化のための装置において、
前記装置は、
ＨＤＰ機会が存在するかどうかを決定するためと、
ＨＤＰ信号の送信のための、前記ＨＤＰ機会内のサブスロットを選択するためと、
前記ＨＤＰ信号の送信のための、セル内の１つより多いセクターをアクティブにするためのプロセッサを具備する装置。
［１４］前記プロセッサは、前記１つより多いセクターからの第１のセクターのオフセットに第１のセクター識別子をセットし、
前記１つより多いセクターにおいて、前記第１のセクターの前記第１のセクター識別子を持つ前記ＨＤＰ信号を送信するための送信機をさらに具備する［１３］に記載の装置。
［１５］前記送信機は、前記１つより多いセクターにおいて、前記セルに対するセル識別子に基づいて、共通シーケンスをさらに送信する［１４］に記載の装置。
［１６］前記ＨＤＰ機会は、１組の時間周波数リソースである［１３］に記載の装置。
［１７］前記ＨＤＰ機会は、データ送信に対して指定されている２つの周波数ビンの間に位置する周波数ビンである［１３］に記載の装置。
［１８］前記プロセッサは、前記サブスロットを選択するために、決定論的な関数を使用する［１３］に記載の装置。
［１９］前記決定論的な関数は、時間の関数である［１８］に記載の装置。
［２０］前記プロセッサは、前記サブスロットを選択するために、ハッシュ関数を使用する［１３］に記載の装置。
［２１］前記装置は、１Ｘシステム、１ｘＥＶ−ＤＯシステム、ＯＦＤＭシステム、ＬＴＥ（ロングタームエボリューション）システム、または、ＵＭＢ（ウルトラモバイルブロードバンド）システムのうちの１つである、ワイヤレス通信システムの一部である［１３］に記載の装置。
［２２］前記ＨＤＰ信号は、時分割多重化（ＴＤＭ）、周波数分割多重化（ＦＤＭ）、コード分割多重化（ＣＤＭ）、または、これらの組み合わせのうちの１つを使用して送信される［２１］に記載の装置。
［２３］前記プロセッサは、前記１つより多いセクターからの第２のセクターのオフセットに第２のセクター識別子をセットし、
前記送信機は、前記１つより多いセクターにおいて、２回目に、前記第２のセクターの前記第２のセクター識別子を持つ前記ＨＤＰ信号を送信し、
前記第２のセクター識別子は、前記第１のセクター識別子とは異なり、前記第２のセクターは、前記第１のセクターとは異なる［１４］に記載の装置。
［２４］前記プロセッサは、前記１つより多いセクターからの第３のセクターのオフセットに第３のセクター識別子をセットし、
前記送信機は、前記１つより多いセクターにおいて、３回目に、前記第３のセクターの前記第３のセクター識別子を持つ前記ＨＤＰ信号を送信し、
前記第３のセクター識別子は、前記第１および第２のセクター識別子とは異なり、前記第３のセクターは、前記第１および第２のセクターとは異なる［２３］に記載の装置。
［２５］前記装置は、ＦＥＭＴＯセルである［１３］に記載の装置。
［２６］セルベースの高検出可能パイロット（ＨＤＰ）多重化のための装置において、
ＨＤＰ機会が存在するかどうかを決定する手段と、
ＨＤＰ信号の送信のための、前記ＨＤＰ機会内のサブスロットを選択する手段と、
前記ＨＤＰ信号の送信のための、セル内の１つより多いセクターをアクティブにする手段とを具備する装置。
［２７］前記１つより多いセクターからの第１のセクターのオフセットに第１のセクター識別子をセットする手段と、
前記１つより多いセクターにおいて、前記第１のセクターの前記第１のセクター識別子を持つ前記ＨＤＰ信号を送信する手段とをさらに具備する［２６］に記載の装置。
［２８］前記１つより多いセクターにおいて、前記セルに対するセル識別子に基づいて、共通シーケンスを送信する手段をさらに具備する［２７］に記載の装置。
［２９］前記ＨＤＰ機会は、１組の時間周波数リソースである［２６］に記載の装置。
［３０］前記ＨＤＰ機会は、データ送信に対して指定されている２つの周波数ビンの間に位置する周波数ビンである［２６］に記載の装置。
［３１］前記サブスロットを選択する手段は、決定論的な関数を使用する［２６］に記載の装置。
［３２］前記決定論的な関数は、時間の関数である［３１］に記載の装置。
［３３］前記サブスロットを選択する手段は、ハッシュ関数を使用する［２６］に記載の装置。
［３４］前記装置は、１Ｘシステム、１ｘＥＶ−ＤＯシステム、ＯＦＤＭシステム、ＬＴＥ（ロングタームエボリューション）システム、または、ＵＭＢ（ウルトラモバイルブロードバンド）システムのうちの１つである、ワイヤレス通信システムの一部である［２６］に記載の装置。
［３５］前記送信する手段は、前記ＨＤＰ信号を送信するために、時分割多重化（ＴＤＭ）、周波数分割多重化（ＦＤＭ）、コード分割多重化（ＣＤＭ）、または、これらの組み合わせのうちの１つを使用する［３４］に記載の装置。
［３６］前記１つより多いセクターからの第２のセクターのオフセットに第２のセクター識別子をセットする手段と、
前記１つより多いセクターにおいて、２回目に、前記第２のセクターの前記第２のセクター識別子を持つ前記ＨＤＰ信号を送信する手段とをさらに具備し、
前記第２のセクター識別子は、前記第１のセクター識別子とは異なり、前記第２のセクターは、前記第１のセクターとは異なる［２７］に記載の装置。
［３７］前記１つより多いセクターからの第３のセクターのオフセットに第３のセクター識別子をセットする手段と、
前記１つより多いセクターにおいて、３回目に、前記第３のセクターの前記第３のセクター識別子を持つ前記ＨＤＰ信号を送信する手段とを具備し、
前記第３のセクター識別子は、前記第１および第２のセクター識別子とは異なり、前記第３のセクターは、前記第１および第２のセクターとは異なる［３６］に記載の装置。
［３８］命令を含むコンピュータプログラムを有するコンピュータ読取可能媒体において、
命令を含むコンピュータプログラムは、少なくとも１つのプロセッサにより実行されるときに、セルベースの高検出可能パイロット（ＨＤＰ）多重化を動作させ、
前記コンピュータプログラムは、
ＨＤＰ機会が存在するかどうかを決定するための命令と、
ＨＤＰ信号の送信のための、前記ＨＤＰ機会内のサブスロットを選択するための命令と、
前記ＨＤＰ信号の送信のための、セル内の１つより多いセクターをアクティブにするための命令とを含むコンピュータ読取可能媒体。
［３９］前記１つより多いセクターからの第１のセクターのオフセットに第１のセクター識別子をセットするための命令と、
前記１つより多いセクターにおいて、前記第１のセクターの前記第１のセクター識別子を持つ前記ＨＤＰ信号を送信するための命令とをさらに含む［３８］に記載のコンピュータ読取可能媒体。
［４０］前記１つより多いセクターにおいて、前記セルに対するセル識別子に基づいて、共通シーケンスを送信するための命令をさらに含む［３９］に記載のコンピュータ読取可能媒体。
［４１］前記１つより多いセクターからの第２のセクターのオフセットに第２のセクター識別子をセットするための命令と、
前記１つより多いセクターにおいて、２回目に、前記第２のセクターの前記第２のセクター識別子を持つ前記ＨＤＰ信号を送信するための命令とをさらに含み、
前記第２のセクター識別子は、前記第１のセクター識別子とは異なり、前記第２のセクターは、前記第１のセクターとは異なる［３９］に記載のコンピュータ読取可能媒体。
［４２］前記１つより多いセクターからの第３のセクターのオフセットに第３のセクター識別子をセットするための命令と、
前記１つより多いセクターにおいて、３回目に、前記第３のセクターの前記第３のセクター識別子を持つ前記ＨＤＰ信号を送信するための命令とをさらに含み、
前記第３のセクター識別子は、前記第１および第２のセクター識別子とは異なり、前記第３のセクターは、前記第１および第２のセクターとは異なる［４１］に記載のコンピュータ読取可能媒体。
［４３］多重化されたセルベースの高検出可能パイロット（ＨＤＰ）を受信するための方法において、
１つより多いセクターにおいて送信された、セクター識別子を持つＨＤＰ信号をユーザ機器により受信することと、
前記ユーザ機器が位置するセクターに、前記セクター識別子が属しているか否かを決定し、前記セクターは、前記１つより多いセクターのうちの１つであることと、
前記ユーザ機器が位置するセクターに、前記セクター識別子が属している場合に、前記ＨＤＰ信号を処理して、前記ユーザ機器の位置を決定すること、または、
前記ユーザ機器が位置するセクターに、前記セクター識別子が属していない場合に、前記ＨＤＰ信号を無視することとを含む方法。
［４４］多重化されたセルベースの高検出可能パイロット（ＨＤＰ）を受信するための装置において、
１つより多いセクターにおいて送信された、セクター識別子を持つＨＤＰ信号をユーザ機器により受信する手段と、
前記ユーザ機器が位置するセクターに、前記セクター識別子が属しているか否かを決定し、前記セクターは、前記１つより多いセクターのうちの１つである手段と、
前記ユーザ機器が位置するセクターに、前記セクター識別子が属している場合に、前記ＨＤＰ信号を処理して、前記ユーザ機器の位置を決定する手段、または、
前記ユーザ機器が位置するセクターに、前記セクター識別子が属していない場合に、前記ＨＤＰ信号を無視する手段とを具備する装置。
［４５］命令を含むコンピュータプログラムを有するコンピュータ読取可能媒体において、
命令を含むコンピュータプログラムは、少なくとも１つのプロセッサにより実行されるときに、多重化されたセルベースの高検出可能パイロット（ＨＤＰ）を受信するために動作し、
前記コンピュータプログラムは、
１つより多いセクターにおいて送信された、セクター識別子を持つＨＤＰ信号をユーザ機器により受信するための命令と、
前記ユーザ機器が位置するセクターに、前記セクター識別子が属しているか否かを決定し、前記セクターは、前記１つより多いセクターのうちの１つであるための命令と、
前記ユーザ機器が位置するセクターに、前記セクター識別子が属している場合に、前記ＨＤＰ信号を処理して、前記ユーザ機器の位置を決定するための命令、または、
前記ユーザ機器が位置するセクターに、前記セクター識別子が属していない場合に、前記ＨＤＰ信号を無視するための命令とを含むコンピュータ読取可能媒体。
【国際調査報告】
2011524690.tif 000012
2011524690.tif 000013